【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
シート状に折り畳まれた筒状フィルムを所定形状に開口して送出するフィルム開口機構であって、
筒状フィルムを被嵌することによって所定状態に開口するマンドレルと、
前記マンドレルに被嵌された筒状フィルムを、フィードベルトによって、前記マンドレルとの間に挟み込んで前記マンドレルの下方側に移送する少なくとも１組のフィードベルトユニットとを備え、
前記マンドレルと前記フィードベルトとを、磁気吸引力によって吸着させる吸着手段を設けたことを特徴とするフィルム開口機構。
【請求項２】
前記吸着手段を、前記マンドレルにおける前記フィードベルトによる筒状フィルムの挟み込み部分に埋設した磁石と、前記フィードベルトに設けた磁性体とによって構成した請求項１に記載のフィルム開口機構。
【請求項３】
前記マンドレルにおける前記フィードベルトによる筒状フィルムの挟込面と筒状フィルムとの間の摩擦係数が、前記フィードベルトと筒状フィルムとの間の摩擦係数よりも小さくなっている請求項１または２に記載のフィルム開口機構。
【請求項４】
前記フィードベルトと筒状フィルムとの間の動摩擦係数と、前記マンドレルにおける前記フィードベルトによる筒状フィルムの挟込面と筒状フィルムとの間の動摩擦係数との差は、１．０以上である請求項３に記載のフィルム開口機構。
【請求項５】
前記吸着手段による磁気吸引力がマンドレルの部位によって異なる構成になっている請求項１から４のいずれか１項に記載のフィルム開口機構。
【請求項６】
前記吸着手段による磁気吸引力は、前記磁気吸引力が作用する範囲の上下端に近づくにつれ弱くなり、中央に近づくにつれ強くなるように、マンドレルの部位によって異なる構成になっている、請求項１から５のいずれか１項に記載のフィルム開口機構。
【請求項７】
前記吸着手段は、前記マンドレルにおける前記フィードベルトによる筒状フィルムの挟み込み部分に上下に並んで埋設した複数の磁石を含んでおり、
前記複数の磁石のうち、上下端に位置する磁石の磁気吸引力は、中央に位置する磁石の磁気吸引力よりも弱い、請求項２に記載のフィルム開口機構。
【請求項８】
前記吸着手段による磁気吸引力がマンドレルにおいて調整可能に構成されている請求項１から７のいずれか１項に記載のフィルム開口機構。
【請求項９】
前記フィードベルトは、その全周に亘って磁性体が設けられたベルト、磁性体からなる芯線が埋め込まれたベルト、磁性体からなる粉体が練り込んだ樹脂からなるベルト、前記筒状フィルムとの接触面に磁性体がコーティングされたベルト、および、前記筒状フィルムとの接触面に磁性体シートが貼り付けられたベルトのいずれかである、請求項２に記載のフィルム開口機構。
【請求項１０】
前記フィードベルトユニットは、前記フィードベルトを介して、前記マンドレルとの間に筒状フィルムを挟み込むべく、上下に並んだ複数のプーリを有し、
前記吸着手段は、前記マンドレルにおける前記フィードベルトによる筒状フィルムの挟み込み部分のうち、少なくとも、前記複数のプーリを構成するプーリとプーリの間に対応する位置に埋設された磁石を含む、請求項２に記載のフィルム開口機構。
【請求項１１】
前記マンドレルは、下側に近づくにつれ径が拡大する円錐部と、前記円錐部の下側に設けられ、径がほぼ一定の円筒部と、を備え、
前記吸着手段は、前記マンドレルにおける前記フィードベルトによる筒状フィルムの挟み込み部分のうち、少なくとも、円錐部の上端近傍から下端近傍の間に埋設された磁石を含む、請求項２に記載のフィルム開口機構。
【請求項１２】
前記マンドレルは、下側に近づくにつれ径が拡大する円錐部と、前記円錐部の下側に設けられ、径がほぼ一定の円筒部と、を備え、
前記フィードベルトユニットは、前記フィードベルトを介して、前記マンドレルの円筒部との間に筒状フィルムを挟み込むべく、前記円筒部の上端近傍から下端近傍の間において上下に並んだ複数のプーリを有し、
前記吸着手段は、前記マンドレルにおける前記フィードベルトによる筒状フィルムの挟み込み部分のうち、円錐部の上端近傍から下端近傍の間、および、前記複数のプーリを構成するプーリとプーリの間に対応する位置に埋設された磁石を含む、請求項２に記載のフィルム開口機構。
【請求項１３】
前記磁石は、前記マンドレルの側面に形成された凹部に収容された状態で固定され、
前記凹部を覆う樹脂部材が前記マンドレルの外表面を構成する、請求項２に記載のフィルム開口機構。
【請求項１４】
前記磁石は、電磁石である、請求項２に記載のフィルム開口機構。
【手続補正２】
【補正対象書類名】明細書
【補正対象項目名】００１３
【補正方法】変更
【補正の内容】
【００１３】
請求項３に係る発明は、請求項１または２に係る発明のフィルム開口機構において、前記マンドレルにおける前記フィードベルトによる筒状フィルムの挟込面と筒状フィルムとの間の摩擦係数が、前記フィードベルトと筒状フィルムとの間の摩擦係数よりも小さくなっていることを特徴としている。
請求項４に係る発明は、請求項３に係る発明のフィルム開口機構において、前記フィードベルトと筒状フィルムとの間の動摩擦係数と、前記マンドレルにおける前記フィードベルトによる筒状フィルムの挟込面と筒状フィルムとの間の動摩擦係数との差は、１．０以上であることを特徴としている。
請求項５に係る発明は、請求項１から４のいずれか１項に係る発明のフィルム開口機構において、前記吸着手段による磁気吸引力がマンドレルの部位によって異なる構成になっていることを特徴としている。
請求項６に係る発明は、請求項１から５のいずれか１項に係る発明のフィルム開口機構において、前記吸着手段による磁気吸引力は、前記磁気吸引力が作用する範囲の上下端に近づくにつれ弱くなり、中央に近づくにつれ強くなるように、マンドレルの部位によって異なる構成になっていることを特徴としている。
請求項７に係る発明は、請求項２に係る発明のフィルム開口機構において、前記吸着手段は、前記マンドレルにおける前記フィードベルトによる筒状フィルムの挟み込み部分に上下に並んで埋設した複数の磁石を含んでおり、前記複数の磁石のうち、上下端に位置する磁石の磁気吸引力は、中央に位置する磁石の磁気吸引力よりも弱いことを特徴としている。
請求項８に係る発明は、請求項１から７のいずれか１項に係る発明のフィルム開口機構において、前記吸着手段による磁気吸引力がマンドレルにおいて調整可能に構成されていることを特徴としている。
請求項９に係る発明は、請求項２に係る発明のフィルム開口機構において、前記フィードベルトは、その全周に亘って磁性体が設けられたベルト、磁性体からなる芯線が埋め込まれたベルト、磁性体からなる粉体が練り込んだ樹脂からなるベルト、前記筒状フィルムとの接触面に磁性体がコーティングされたベルト、および、前記筒状フィルムとの接触面に磁性体シートが貼り付けられたベルトのいずれかであることを特徴としている。
請求項１０に係る発明は、請求項２に係る発明のフィルム開口機構において、前記フィードベルトユニットは、前記フィードベルトを介して、前記マンドレルとの間に筒状フィルムを挟み込むべく、上下に並んだ複数のプーリを有し、前記吸着手段は、前記マンドレルにおける前記フィードベルトによる筒状フィルムの挟み込み部分のうち、少なくとも、前記複数のプーリを構成するプーリとプーリの間に対応する位置に埋設された磁石を含むことを特徴としている。
請求項１１に係る発明は、請求項２に係る発明のフィルム開口機構において、前記マンドレルは、下側に近づくにつれ径が拡大する円錐部と、前記円錐部の下側に設けられ、径がほぼ一定の円筒部と、を備え、前記吸着手段は、前記マンドレルにおける前記フィードベルトによる筒状フィルムの挟み込み部分のうち、少なくとも、円錐部の上端近傍から下端近傍の間に埋設された磁石を含むことを特徴としている。
請求項１２に係る発明は、請求項２に係る発明のフィルム開口機構において、前記マンドレルは、下側に近づくにつれ径が拡大する円錐部と、前記円錐部の下側に設けられ、径がほぼ一定の円筒部と、を備え、前記フィードベルトユニットは、前記フィードベルトを介して、前記マンドレルの円筒部との間に筒状フィルムを挟み込むべく、前記円筒部の上端近傍から下端近傍の間において上下に並んだ複数のプーリを有し、前記吸着手段は、前記マンドレルにおける前記フィードベルトによる筒状フィルムの挟み込み部分のうち、円錐部の上端近傍から下端近傍の間、および、前記複数のプーリを構成するプーリとプーリの間に対応する位置に埋設された磁石を含むことを特徴としている。
請求項１３に係る発明は、請求項２に係る発明のフィルム開口機構において、前記磁石は、前記マンドレルの側面に形成された凹部に収容された状態で固定され、前記凹部を覆う樹脂部材が前記マンドレルの外表面を構成することを特徴としている。
請求項１４に係る発明は、請求項２に係る発明のフィルム開口機構において、前記磁石は、電磁石であることを特徴としている。
【手続補正３】
【補正対象書類名】明細書
【補正対象項目名】００１８
【補正方法】変更
【補正の内容】
【００１８】
請求項３に係る発明のフィルム開口機構は、マンドレルにおけるフィードベルトによる筒状フィルムの挟込面と筒状フィルムとの間の摩擦係数が、フィードベルトと筒状フィルムとの間の摩擦係数よりも小さくなっているので、フィードベルトに対して筒状フィルムがさらにスリップしにくく、筒状フィルムを確実に搬送することができる。
本発明のフィルム開口機構において、吸着手段による磁気吸引力がマンドレルの部位によって異なる構成にすると、磁気吸引力が作用しない状態から作用する状態に移行する際に磁気吸引力が抵抗とならないようにしたりすることが可能となる。
また、吸着手段による磁気吸引力がマンドレルにおいて調整可能に構成すると、磁気吸引力の微調整が容易となる。